(57)【要約】【課題】歩いているときや立っているときにかかわりなく、履き心地が良好である靴の製造方法を提供する。【解決手段】靴底材２の上側に中敷き４を、土踏まずに対応する部分を含む後側部分４ａを除き、接合する。それから、靴底材２と中敷き４の後側部分４Ａとの間に、中敷き４の後側部分４Ａに対応する大きさを有し前記土踏まずを支持する調整パッド５を挟み込み、中敷き４の後側部分と調整パッド５とを接合して一体化する。この調整パッド５としては、販売店の店頭などにおいて、複数種類のうちから、靴１を履く使用者の前記土踏まずに対応したものを選択して使用する。【選択図】  図２
2012239649.tif 000002
【特許請求の範囲】
【請求項１】
靴底材と、甲皮と、中敷きとを有する靴の製造方法であって、
前記靴底材の上側に前記中敷きを、土踏まずに対応する部分を含む後側部分を除き、接合する第１の工程と、
前記靴底材と前記中敷きの後側部分との間に、前記中敷きの後側部分に対応する大きさを有し前記土踏まずを支持する調整パッドを挟み込み、前記中敷きの後側部分と前記調整パッドとを接合して一体化する第２の工程とを備え、
前記調整パッドは、複数種類のうちから、前記靴を履く使用者の前記土踏まずに対応したものを選択して使用することを特徴とする靴の製造方法。
【請求項２】
前記調整パッドの選択は、店頭等における販売の段階で、前記使用者が履き心地を確かめて行うことを特徴とする請求項１記載の靴の製造方法。
【請求項３】
前記複数種類の調整パッドは、前記土踏まずを支持する部分の高さあるいは形状，材質が異なることを特徴とする請求項１または２記載の靴の製造方法。
【請求項４】
前記中敷きの下面側に位置決め凸部が形成され、
前記調整パッドに前記位置決め凸部に嵌合する位置決め凹部が形成される請求項１〜４のいずれか１つに記載の靴の製造方法。
【発明の詳細な説明】
【技術分野】
【０００１】
本発明は、履き心地が良好な靴の製造方法に関するものである。
【背景技術】
【０００２】
一般に、靴を履く場合には、足の裏の土踏まずは、中敷きが下側から接触して、靴を履いている使用者の体重を支持ししており、前記中敷きが足の裏のフィットしていることが求められる。
【０００３】
使用者の足裏のアーチにフィットさせるとともに使用者の好みに応じたアーチサポート機能を有する靴の中敷きとして、上板と下板とを備え、下板の上面の、アーチに略対応する位置に、２液型液状シリコーンゴムの主剤と硬化剤とを混合して載置し、該シリコーンゴムの踏圧をかけることにより前記アーチの形状に合わせて成形し硬化させてなるアーチサポート体を、上板と下板とを接着または粘着して挟持してなるものが提案されている（例えば特許文献１参照）。
【先行技術文献】
【特許文献】
【０００４】
【特許文献１】特開２００８−４８８６３号公報
【発明の概要】
【発明が解決しようとする課題】
【０００５】
特許文献１記載の技術では、使用者が立った状態でアーチサポート体を成形し硬化させるようにしているが、靴を履いている使用者にとっては、立っているときと、歩いているときとでは、中敷きが足の裏（特に土踏まずの部分）に接触している状態が異なるので、前記中敷きが足の裏のフィットしているものを購入しても、歩くと、人によっては履き心地が悪いと感じる場合がある。
【０００６】
本発明は、歩いているときや立っているときにかかわりなく、履き心地が良好である靴の製造方法を提供することを目的としている。
【課題を解決するための手段】
【０００７】
請求項１の発明は、靴底材と、甲皮と、中敷きとを有する靴の製造方法であって、前記靴底材の上側に前記中敷きを、土踏まずに対応する部分を含む後側部分を除き、接合する第１の工程と、前記靴底材と前記中敷きの後側部分との間に、前記中敷きの後側部分に対応する大きさを有し前記土踏まずを支持する調整パッドを挟み込み、前記中敷きの後側部分と前記調整パッドとを接合して一体化する第２の工程とを備え、前記調整パッドは、複数種類のうちから、前記靴を履く使用者の前記土踏まずに対応したものを選択して使用することを特徴とする。
【０００８】
このようにすれば、調整パッドとしては、複数種類のうちから、前記靴を履く使用者（靴を履く人）の前記土踏まずに対応したものを選択して使用するので、靴底材と前記中敷きの後側部分との間に、選択された調整パッドを挟み込むことで、使用者が立っているときでも歩いているときででも、土踏まずの、中敷きによる支持状態を安定させ、いずれの状態でも履き心地よくすることができる。
【０００９】
請求項２に記載のように、前記調整パッドの選択は、店頭等における販売の段階で、前記使用者が履き心地を確かめて行うことができる。
【００１０】
このようにすれば、使用者（靴を履く人）の希望に合わせて、履き心地がよい靴を製造することができる。つまり、使用者が実際に各調整パッドを挟み込んで、履き心地を確認することができる。
【００１１】
請求項３に記載のように、前記複数種類の調整パッドは、前記土踏まずを支持する高さあるいは形状、材質が異なる構成とすることができる。
【００１２】
このようにすれば，履き心地に大きく影響する土踏まずを支持する高さあるいは形状を、使用者（靴を履く人）の希望に合わせて選択することができる。
【００１３】
請求項４に記載のように、前記中敷きの下面側に位置決め凸部が形成され、前記調整パッドに前記位置決め凸部に嵌合する位置決め凹部が形成される構成とすることが望ましい。
【００１４】
このようにすれば、中敷きの位置決め凸部と調整パッドの位置決め凹部とを嵌合させることで、中敷きに対する調整パッドの位置決めを簡単に行うことができる。
【発明の効果】
【００１５】
本発明は、上記のように、調整パッドとしては、複数種類のうちから、前記靴を履く使用者（靴を履く人）の前記土踏まずに対応したものを選択して使用するので、靴底材と前記中敷きの後側部分との間に、選択された調整パッドを挟み込むことで、使用者が立っているときでも歩いているときででも、土踏まずの、中敷きによる支持状態を安定させ、いずれの状態でも履き心地よくすることができる。
【図面の簡単な説明】
【００１６】
【図１】本発明の靴の製造方法によって製造される靴の一例を示す図である。
【図２】本発明の靴の製造方法の説明図である。
【図３】（ａ）〜（ｃ）がそれぞれ調整パッドの例を示す図である。
【発明を実施するための形態】
【００１７】
以下、本発明に係る靴の製造方法の実施の形態について説明する。
【００１８】
図１は本発明に係る靴の製造方法によって製造される靴の一例を示す図である。
【００１９】
図１に示すように、靴１は、靴底材２と、甲皮３と、中敷き４とを有し、靴底材２の上側に中敷き４を、靴１を履く使用者の土踏まずに対応する部分を含む後側部分４Ａを除き、接合されている。甲皮３の周縁下端部が、靴底材２の周縁部に結合されている。また、靴底材２と中敷き４の後側部分４Ａとの間に、図２（ａ）（ｂ）に示すように、中敷き４の後側部分４Ａに対応する大きさを有する調整パッド５（図３（ａ）参照）が挟み込まれている。この調整パッド５は、前記土踏まずにフィットして前記土踏まずを下側から支持するもので、中敷き４の後側部分４Ａに接合され、それらが一体化され、中敷き４から調整パッド５が外れないようになっている。
【００２０】
調整パッド５としては、複数種類（例えば５種類）のうちから、靴１を履く使用者の土踏まずに対応したものが、販売店の店頭などでの靴の販売段階において、使用者（購入者）自身によって選択され、使用される。
【００２１】
各調整パッド５は、使用者の土踏まずを支持する部分が異なり、それらが異なることで、ハイアーチ性やクッション性が変更（調整）されている。この中から、使用者が最も履き心地がよいと判断したものが使用さている。図３（ａ）に示す調整パッド５のほか、例えば図３（ｂ）に示す調整パッド５’のように、本体部５Ａに対し両側に切り欠き５Ｂａが形成されたテープ５Ｂが貼られたり、図３（ｃ）に示す調整パッド５”のように、本体部５Ａの一方の側に複数の開孔５ｂが形成されたりして、ハイアーチ性やクッション性が変更される。
【００２２】
このように、複数種類の調整パッド５には、高さや幅などの形状などが異なっているもの、穴が設けられているもの、材質（熱可塑性ポリウレタン（ＴＰＵ）、ポリ塩化ビニル（ＰＶＣ）、発泡ウレタン、その他の合成ゴム（例えば、マシュマロ（登録商標））が異なっているものなどが含まれる。
【００２３】
この調整パッド５の選択は、店頭等における販売の段階で、使用者が履き心地を確かめて行うことができ、選択されたものが、その場で中敷き４の後側部分に位置決めされて、例えば両面テープを用いて接合される。つまり、靴１の製造の最終仕上げある調整パッド５の接合が、製造工場ではなく、店頭等において行われることになる。ここで、中敷き４の後側部分４Ａと調整パッド５との接合には、前述した両面テープのほか、面ファスナあるいは接着剤（例えばホットメルト糊）などの周知の接合手段を用いることも可能である。
【００２４】
また、店頭等における販売の段階で、店頭における販売員の中敷き４に対する調整パッド５の位置決めが容易となるように、中敷き４の後側部分４Ａの下面側に位置決め凸部４ａが形成される一方、調整パッド５に位置決め凸部４ａに嵌合する位置決め凹部５ａが形成されている。これにより、位置決め凸部４ａと位置決め凹部５ａとの係合関係で、それらの位置決めが、靴の製造に不慣れな者(例えば、靴の販売員）であっても、簡単に行うことができる。それに続く、例えば両面テープを用いる接合作業も簡単に行うことができる。
【００２５】
続いて、靴１の製造方法について説明する。
・工場での工程（第１の工程）
製造工場において、靴底材２の上側に中敷き４を、使用者の土踏まずに対応する部分を含む後側部分４Ａを除き、接合する。この接合された靴底材２の周縁部に対し、甲皮３の周縁下端部が接合される。この状態では、靴底材２と中敷き４の後側部分４Ａとの間は接合されておらず、それらの間に中敷き４の後側部分４Ａに対応する大きさを有し前記土踏まずを支持する調整パッド５を挟み込み可能な状態の、半完成の靴とされている。
【００２６】
靴底材２と中敷き４の後側部分４Ａとの間は接合されていないので、それらの間に調整パッド５を挟み込んで仮に組み付けたり、抜き出すことで取り外したりすることができる。
【００２７】
この半完成状態の靴に対し調整パッド５が組み付けられて完成品となる前に、前記半完成品の靴と複数種類の調整パッド５とが別々に販売店などに搬送される。
・販売店での工程(第２の工程）
図２（ａ）（ｂ）に示すように、販売店の店頭で、店員などによって、前記半完成の靴に対し、靴底材２と中敷き４の後側部分４Ａとの間に、中敷き４の後側部分４Ａに対応する大きさを有し前記土踏まずを支持する調整パッド５を挟み込み、中敷き４の後側部分４Ａと調整パッド５とを，例えば両面テープによって接合して一体化することで、完成品の靴１とされる。
【００２８】
この際、店頭等における販売の段階で、調整パッド５を交換するなどにして、いずれの調整パッド５を用いた場合に履き心地が最もよいかを、使用者（購入者）自身が確かめることができる。つまり、調整パッド５は、複数種類のうちから、靴１を履く使用者の前記土踏まずに対応したものを選択して使用することができる。両面テープが調整パッド５上あるいは中敷き４の後側部分４Ａに、あらかじめ設けられており、使用者の選択により最終決定されると、両面テープの接着防止用紙を取り去り、接着により一体化される。なお、中敷き４が浮き上がっているので、靴底材２には、固定してもしなくてもよい。
【００２９】
調整パッド５としては、前述したように、前記土踏まずを支持する部分の高さあるいは形状，材質が異なるものが複数種類準備されており、使用者が最終決定する前には靴底材２と中敷き４の後側部分４Ａとの間にまだ接合されていないので、自由に交換することができ、使用者が実際に履き心地を直接に確認して、いずれの調整パッド５がよいかを選択することができる。
【００３０】
その確認のための交換や最終的な接合も、中敷き４の下面側に位置決め凸部４ａが形成され、調整パッド５に位置決め凸部４ａに嵌合する位置決め凹部５ａが形成されているので、製造に不慣れが販売員であっても、調整パッド５を所定の位置に簡単いセットすることができ、交換作業や最終の製造作業も行うことができる。
【００３１】
このように、靴の製造の最終工程を、工場において行い、完成品として出荷するのではなく、中敷き４を設ける前の未完成品の状態で出荷し、店頭等における販売の段階で、複数種類の調整パッド５を仮に組み付けて履き心地を、立って静止した状態や、歩いた状態での履き心地を確かめることができ、使用者が自分自身の意志で調整パッド５を選択することができ、その使用者によって選択された調整パッド５を用いて、最終製品としての靴１を製造することができる。
【符号の説明】
【００３２】
１    靴
２    靴底材
３    甲皮
４    中敷き
４ａ    位置決め凸部
４Ａ    後側部分
５    調整パッド
５ａ    位置決め凹部
【図１】
2012239649.tif 000003
【図２】
2012239649.tif 000004
【図３】
2012239649.tif 000005